(57)【要約】      （修正有）【課題】自動化排水処理のための移動可能な電解排水処理システム、電解制御装置、電解排水処理方法、プログラム及び記憶媒体を提供する。【解決手段】電解排水処理システムに、排水を貯蔵するための排水貯槽４００と、前記排水に添加することにより、前記排水の塩化物イオン濃度を調節するための塩化物イオンを含む溶液を貯蔵するための塩化物イオン槽と、排水槽から排出される溶液を電気分解するための電解装置を備える電解槽５００と、電解槽内の電解溶液の残留塩素濃度を電気分解中に測定するための残留塩素測定装置６００と、電解槽の電解溶液の水位を測定するための電解槽水位測定装置５３０と、塩化物イオン槽からの溶液の排出、排水貯槽からの溶液の排出、電解装置による電気分解処理、残留塩素測定装置の測定処理、電解槽水位測定装置の測定処理、及び電解槽からの電解溶液の排出、を制御するための電解制御装置１００と、を備えることとする。【選択図】図１
2005288358.tif 000002
【特許請求の範囲】
【請求項１】
排水を貯蔵するための排水貯槽と、
前記排水に添加することにより、前記排水の塩化物イオン濃度を調節するための塩化物イオンを含む溶液を貯蔵するための塩化物イオン槽と、
前記排水槽から排出される溶液を電気分解するための電解装置を備える電解槽と、
前記電解槽内の電解溶液の残留塩素濃度を、電気分解中に測定するための残留塩素測定装置と、
前記電解槽の電解溶液の水位を測定するための電解槽水位測定装置と、
前記塩化物イオン槽からの溶液の排出、前記排水貯槽からの溶液の排出、前記電解装置による電気分解処理、前記残留塩素測定装置の測定処理、前記電解槽水位測定装置の測定処理、及び前記電解槽からの電解溶液の排出、を制御するための電解制御装置と、
を備える電解排水処理システム。
【請求項２】
前記電解槽内の電解溶液の塩化物濃度が３％以上であることを特徴とする請求項１に記載の電解排水処理システム。
【請求項３】
前記残留塩素測定装置は、前記電解槽中の電解溶液の残留塩素濃度を測定することによって、前記電気分解の終了点を決定することを特徴とする請求項１又は２に記載の電解排水処理システム。
【請求項４】
前記塩化物イオン槽及び前記排水貯槽からそれぞれ排出される溶液をろ過するためのろ過器を備えることを特徴とする請求項１から３のいずれかに記載の電解排水処理システム。
【請求項５】
前記電解槽から排出される電解溶液の残留塩素を除去し、処理排水として排出する残留塩素処理装置を備えることを特徴とする請求項１から４のいずれかに記載の電解排水処理システム。
【請求項６】
前記電解槽から排出される電解溶液を再び前記電解槽に戻す電解溶液の循環を行うための電解溶液循環装置を備え、
前記残留塩素測定装置が、前記電解溶液の循環中に前記電解溶液の残留塩素濃度を測定することにより、前記電解槽内の電解溶液の残留塩素濃度を、電気分解中に測定することを特徴とする請求項１から５のいずれかに記載の電解排水処理システム。
【請求項７】
酸素を含む気体を前記電解槽内の電解溶液に供給する酸素供給装置を備えることを特徴とする請求項１から６のいずれかに記載の電解排水処理システム。
【請求項８】
システム全体を移動するための移動手段を備えていることを特徴とする請求項１〜７のいずれかに記載の電解排水処理システム。
【請求項９】
塩化物イオンを貯蔵する塩化物イオン槽と、排水を貯蔵する排水貯槽と、電解装置を備える電解槽と、電解溶液循環装置と、残留塩素測定装置と、を制御する電解制御装置であって、
前記塩化物イオン槽及び前記排水貯槽から、それぞれ前記塩化物イオン溶液及び前記排水を、前記電解槽で電気分解するために設定された量だけ、電解槽へ排出させ、
前記電解溶液循環装置を作動させて前記電解槽内の電解溶液を排出させ再び前記電解槽に戻す前記電解溶液の循環を行い、
前記電解溶液の循環中に、前記残留塩素測定装置を使用して前記電解溶液水の残留塩素濃度を測定し、
電気分解するために設定された電流及び電圧に従って前記電解装置に、前記電解溶液を電気分解させ、
前記残留塩素濃度が所定の濃度以上になると、前記電解溶液循環装置及び前記電解装置を停止し、
前記電解槽から電気分解された前記電解溶液を排出させる電解制御装置。
【請求項１０】
電気分解処理の回数が設定されている場合、既に行われた電気分解の回数が所定の回数に達しているならば、前記電気分解処理を終了し、所定の回数に達していないならば、再度電気分解を実施し、
電気分解処理の回数が設定されていない場合、前記排水貯槽内の水量を検知し、前記排水貯槽に排水がある場合、再度電気分解を実施し、前記排水貯槽に排水がない場合、前記電気分解処理を終了する、
ことを特徴とする請求項９に記載の電解制御装置。
【請求項１１】
塩化物イオンを貯蔵する塩化物イオン槽と、排水を貯蔵する排水貯槽と、電解装置を備える電解槽と、電解溶液循環装置と、残留塩素測定装置と、を備える電解排水処理システムにおける電解排水処理方法であって、
前記塩化物イオン槽及び前記排水貯槽から、それぞれ前記塩化物イオン溶液及び前記排水を、前記電解槽で電気分解するために設定された量だけ、電解槽へ排出させる工程と、
前記電解溶液循環装置を作動させて前記電解槽内の電解溶液を排出させ再び前記電解槽にもどす前記電解溶液の循環を行い、前記電解溶液の循環中に、前記残留塩素測定装置を使用して前記排水の残留塩素濃度を測定する工程と、
電気分解するために設定された電流、電圧に従って電解装置に対し前記電解溶液を電気分解させる工程と、
前記残留塩素濃度が所定の濃度以上になると、前記電解溶液循環装置及び前記電解装置を停止し、前記電解槽から電気分解された電解溶液を排出させる工程と、
を含むことを特徴とする電解排水処理方法。
【請求項１２】
電気分解処理の回数が設定されている場合、既に行われた電気分解の回数が所定の回数に達しているならば、前記電気分解処理を終了し、所定の回数に達していないならば、再度電気分解を実施する工程と、
電気分解処理の回数が設定されていない場合、前記排水貯槽内の水量を検知し、前記排水貯槽に排水がある場合、再度電気分解を実施し、前記排水貯槽に排水がない場合、前記電気分解処理を終了する工程と、
を含むことを特徴とする請求項１１に記載の電解排水処理方法。
【請求項１３】
塩化物イオンを貯蔵する塩化物イオン槽と、排水を貯蔵する排水貯槽と、電解装置を備える電解槽と、電解溶液循環装置と、残留塩素測定装置と、を備える電解排水処理システムを制御する電解制御装置に、電解排水処理方法を行わせるためのプログラムであって、電解制御装置に、
前記塩化物イオン槽及び前記排水貯槽から、それぞれ前記塩化物イオン溶液及び前記排水を、前記電解槽で電気分解するために設定された量だけ、電解槽へ排出させる工程と、
前記電解溶液循環装置を作動させて前記電解槽内の電解溶液を排出させ再び前記電解槽に戻す前記電解溶液の循環を行い、前記電解溶液の循環中に、前記残留塩素測定装置を使用して前記排水の残留塩素濃度を測定する工程と、
電気分解するために設定された電流、電圧に従って前記電解装置に前記電解溶液を電気分解させる工程と、
前記残留塩素濃度が所定の濃度以上になると、前記電気供給及び前記電解溶液循環装置の作動を停止し、前記電解槽から電気分解された電解溶液を排出させる工程と、
を実行させるプログラム。
【請求項１４】
前記電解制御装置に、
電気分解処理の回数が設定されている場合、既に行われた電気分解の回数が所定の回数に達しているならば、前記電気分解処理を終了し、所定の回数に達していないならば、再度電気分解を実施する工程と、
電気分解処理の回数が設定されていない場合、前記排水貯槽内の水量を検知し、前記排水貯槽に排水がある場合、再度電気分解を実施し、前記排水貯槽に排水がない場合、前記電気分解処理を終了する工程と、
をさらに実行させることを特徴とする請求項１３に記載のプログラム。
【請求項１５】
請求項１４又は１５に記載のプログラムを、電解制御装置によって読み取り可能に格納した記憶媒体。
【発明の詳細な説明】
【技術分野】
【０００１】
本発明は、電解排水処理システム、電解制御装置、電解排水処理方法、プログラム、及び記憶媒体に関する。
【背景技術】
【０００２】
発電所では、発電の様々な過程で多量の水が排水される。例えば、ボイラ・タービン系からのブロー排水、給水処理及び復水脱塩の再生排水、排煙脱硫装置からのブロー排水、冷却装置からの温排水などが挙げられるが、これらの排水は、それぞれ異なる場所で排水され、全ての排水を水質汚濁防止法に基づく排出基準以下にしてから海や河川などの公共用水域に排出しなければならない。
【０００３】
そのような排水処理方法の一つとして、電気分解があり、特にフェライト電極を用いた電気分解装置が、排水のＣＯＤを低下させるために用いられてきた（例えば、特許文献１参照）
【特許文献１】特開２００３−１２６８６０号公報
【発明の開示】
【発明が解決しようとする課題】
【０００４】
排水処理を行うために必要な排水設備や装置を運用する際、発電所のような多数の場所で排水が生じる場所では、全ての場所で排水設備や装置を設置するのは、コストやエネルギーの面から、非常に効率が悪い。また、排水処理機能を備えている所でも、多量の排水が生成されたときなどは、その処理に追加の工数を必要とする。
【０００５】
従って、そのような場合、移動式の排水設備や装置が好ましいが、移動式システムを運用する場合、各処理をマニュアルで行っていたのでは効率的でない。
【０００６】
本発明は以上のような事情に鑑みてなされたものであり、自動化排水処理を実行するための移動可能な電解排水処理システム、自動化排水処理を制御する電解制御装置、自動化排水処理を行うための電解排水処理方法、電解制御装置に自動化排水処理を行わせるためのプログラム及びそのプログラムを読み取り可能に格納した記憶媒体を提供することを目的とする。
【課題を解決するための手段】
【０００７】
上記課題を解決すべく、本発明に係る電解排水処理システムは、排水を貯蔵するための排水貯槽と、前記排水に添加することにより、前記排水の塩化物イオン濃度を調節するための塩化物イオンを含む溶液を貯蔵するための塩化物イオン槽と、前記排水槽から排出される溶液を電気分解するための電解装置を備える電解槽と、前記電解槽内の電解溶液の残留塩素濃度を、電気分解中に測定するための残留塩素測定装置と、前記電解槽の電解溶液の水位を測定するための電解槽水位測定装置と、前記塩化物イオン槽からの溶液の排出、前記排水貯槽からの溶液の排出、前記電解装置による電気分解処理、前記残留塩素測定装置の測定処理、前記電解槽水位測定装置の測定処理、及び前記電解槽からの電解溶液の排出、を制御するための電解制御装置と、を備えることとする。なお、前記電解槽内の電解溶液の塩化物濃度は３％以上であることが好ましい。また、前記残留塩素測定装置は、前記電解槽中の電解溶液の残留塩素濃度を測定することとしてもよい。
【０００８】
本発明に係る電解排水処理システムは、前記塩化物イオン槽及び前記排水貯槽からそれぞれ排出される溶液をろ過するためのろ過器をさらに備えることとしてもよいし、前記電解槽から排出される電解溶液の残留塩素を除去し、処理排水として排出する残留塩素処理装置を備えることとしてもよい。また、本発明に係る電解排水処理システムは、前記電解槽から排出される電解溶液を再び前記電解槽に戻す電解溶液の循環を行うための電解溶液循環装置をさらに備え、前記残留塩素測定装置は、前記電解溶液の循環中に前記電解溶液の残留塩素濃度を測定することにより、前記電解槽内の電解溶液の残留塩素濃度を、電気分解中に測定することとしてもよい。さらに、本発明に係る電解排水処理システムは、酸素を含む気体を前記電解槽内の電解溶液に供給する酸素供給装置をさらに備えることとしてもよいし、システム全体を移動するための移動手段をさらに備えることとしてもよい。
【０００９】
また本発明に係る電解制御装置は、塩化物イオンを貯蔵する塩化物イオン槽と、排水を貯蔵する排水貯槽と、電解装置を備える電解槽と、電解溶液循環装置と、残留塩素測定装置と、を制御する電解制御装置であって、前記塩化物イオン槽及び前記排水貯槽から、それぞれ前記塩化物イオン溶液及び前記排水を、前記電解槽で電気分解するために設定された量だけ、電解槽へ排出させ、前記電解溶液循環装置を作動させて前記電解槽内の電解溶液を排出させ再び前記電解槽に戻す前記電解溶液の循環を行い、前記電解溶液の循環中に、前記残留塩素測定装置を使用して前記電解溶液水の残留塩素濃度を測定し、電気分解するために設定された電流及び電圧に従って前記電解装置に、前記電解溶液を電気分解させ、前記残留塩素濃度が所定の濃度以上になると、前記電解溶液循環装置及び前記電解装置を停止し、前記電解槽から電気分解された前記電解溶液を排出させることを特徴とする。なお、前記電気分解の処理回数が設定されている場合、既に行われた電気分解の回数が所定の回数に達しているならば、前記電気分解処理を終了し、所定の回数に達していないならば、再度電気分解を実施し、電気分解処理の回数が設定されていない場合、前記排水貯槽内の水量を検知し、前記排水貯槽に排水がある場合、再度電気分解を実施し、前記排水貯槽に排水がない場合、前記電気分解処理を終了することとしてもよい。
【００１０】
さらに、本発明に係る電解排水処理方法は、塩化物イオンを貯蔵する塩化物イオン槽と、排水を貯蔵する排水貯槽と、電解装置を備える電解槽と、電解溶液循環装置と、残留塩素測定装置と、を備える電解排水処理システムにおける電解排水処理方法であって、前記塩化物イオン槽及び前記排水貯槽から、それぞれ前記塩化物イオン溶液及び前記排水を、前記電解槽で電気分解するために設定された量だけ、電解槽へ排出させる工程と、前記電解溶液循環装置を作動させて前記電解槽内の電解溶液を排出させ再び前記電解槽にもどす前記電解溶液の循環を行い、前記電解溶液の循環中に、前記残留塩素測定装置を使用して前記排水の残留塩素濃度を測定する工程と、電気分解するために設定された電流、電圧に従って電解装置に対し前記電解溶液を電気分解させる工程と、前記残留塩素濃度が所定の濃度以上になると、前記電解溶液循環装置及び前記電解装置を停止し、前記電解槽から電気分解された電解溶液を排出させる工程と、を含むこととする。なお、前記電気分解の処理回数が設定されている場合、既に行われた電気分解の回数が所定の回数に達しているならば、前記電気分解処理を終了し、所定の回数に達していないならば、再度電気分解を実施する工程と、電気分解処理の回数が設定されていない場合、前記排水貯槽内の水量を検知し、前記排水貯槽に排水がある場合、再度電気分解を実施し、前記排水貯槽に排水がない場合、前記電気分解処理を終了する工程を、前記電解排水処理方法にさらに含ませることとしてもよい。
【００１１】
本発明に係るプログラムは、塩化物イオンを貯蔵する塩化物イオン槽と、排水を貯蔵する排水貯槽と、電解装置を備える電解槽と、電解溶液循環装置と、残留塩素測定装置と、を備える電解排水処理システムを制御する電解制御装置に、電解排水処理方法を行わせるためのプログラムであって、電解制御装置に、前記塩化物イオン槽及び前記排水貯槽から、それぞれ前記塩化物イオン溶液及び前記排水を、前記電解槽で電気分解するために設定された量だけ、電解槽へ排出させる工程と、前記電解溶液循環装置を作動させて前記電解槽内の電解溶液を排出させ再び前記電解槽に戻す前記電解溶液の循環を行い、前記電解溶液の循環中に、前記残留塩素測定装置を使用して前記排水の残留塩素濃度を測定する工程と、電気分解するために設定された電流、電圧に従って前記電解装置に前記電解溶液を電気分解させる工程と、前記残留塩素濃度が所定の濃度以上になると、前記電気供給及び前記電解溶液循環装置の作動を停止し、前記電解槽から電気分解された電解溶液を排出させる工程と、を実行させることを特徴とする。なお、前記電気分解の処理回数が設定されている場合、既に行われた電気分解の回数が所定の回数に達しているならば、前記電気分解処理を終了し、所定の回数に達していないならば、再度電気分解を実施する工程と、電気分解処理の回数が設定されていない場合、前記排水貯槽内の水量を検知し、前記排水貯槽に排水がある場合、再度電気分解を実施し、前記排水貯槽に排水がない場合、前記電気分解処理を終了する工程を、電解制御装置にさらに実行させることとしてもよい。
【００１２】
本発明にかかる記憶媒体は、前記プログラムを、電解制御装置によって読み取り可能に格納している。
【発明の効果】
【００１３】
本発明により、自動化排水処理を実行するための移動可能な電解排水処理システム、自動化排水処理を制御する電解制御装置、自動化排水処理を行うための電解排水処理方法、電解制御装置に自動化排水処理を行わせるためのプログラム及びそのプログラムを読み取り可能に格納した記憶媒体を提供することが可能になった。
【発明を実施するための最良の形態】
【００１４】
以下、本発明の好ましい実施の形態につき、添付図面を用いて詳細に説明する。なお、本発明の目的、特徴、利点、及びそのアイデアは、本明細書の記載により、当業者には明らかであり、本明細書の記載から、当業者であれば、容易に本発明を再現できる。以下に記載された発明の実施の形態及び具体的に実施例などは、本発明の好ましい実施態様を示すものであり、例示又は説明のために示されているのであって、本発明をそれらに限定するものではない。本明細書で開示されている本発明の意図並びに範囲内で、本明細書の記載に基づき、様々な改変並びに修飾ができることは、当業者にとって明らかである。
【００１５】
＝＝＝電解排水処理システムの構成図＝＝＝
図１は本発明の一実施例として説明する電解排水処理システム１０００の構成図を示す。
【００１６】
図１に示すように、本発明に係る電解排水処理システム１０００は、塩化物イオンを含む溶液を貯蔵する塩化物イオン槽である海水貯槽２００、２０％塩化ナトリウム水溶液タンク３００、排水を貯蔵する排水貯槽４００、各貯槽及びタンク内の溶液又は排水を汲み上げるそれぞれのポンプである海水注入ポンプ２１０、塩化ナトリウム水溶液注入ポンプ３１０、排水処理ポンプ４１０、各貯槽及びタンクから排出された溶液又は排水をろ過するろ過器８００、海水貯槽２００、２０％塩化ナトリウム水溶液タンク３００、及び排水貯槽４００から排出される溶液を電気分解する電解槽５００、電解槽５００から排出された電解溶液を再び電解槽に戻すための電解溶液循環装置としての電解溶液処理ポンプ５１０、酸素を含む気体を供給する酸素供給装置としてのバブリング用コンプレッサー５２０、電解槽の電解溶液の水位を測定する電解槽水位測定装置５３０、電解槽５００の電解溶液の残留塩素濃度を測定する残留塩素測定装置６００、電解槽５００から排出された電解溶液の残留塩素を除去する残留塩素処理器７００、そして電解排水処理システム１０００を制御する電解制御装置１００などを備えている。
【００１７】
電解制御装置１００は、電線１、２、３を介してそれぞれ海水注入ポンプ２１０、塩化ナトリウム水溶液注入ポンプ３１０、排水処理ポンプ４１０に接続していて、電線４、５、６は、それぞれ電解槽排水バルブ７１０、残留塩素測定装置６００、電解槽水位測定装置５３０に接続しており、電線７、８は、それぞれ電解溶液処理ポンプ５１０、バブリング用コンプレッサー５２０に接続しており、電線９は電解槽５００に接続している。
【００１８】
海水注入ポンプ２１０は、海水貯槽２００と配管２０で接続しており、配管２０には弁２２０が設けられ、海水貯槽２００の海水を配管２１に汲み上げることができる。塩化ナトリウム水溶液注入ポンプ３１０は、２０％塩化ナトリウム水溶液タンク３００と配管３０で接続し、その配管３０には弁３２０が設けられ、２０％塩化ナトリウム水溶液タンク３００の塩化物イオンを含んだ溶液を配管３１に汲み上げることができる。排水処理ポンプ４１０は排水貯槽４００と配管４０で接続し、その配管４０には弁４２０が設けられ、配管４１に排水貯槽４００の排水を汲み上げることができる。配管２１、３１、そして４１は、配管１０に結合している。配管１０は、配管１１を介してろ過器８００に接続している。すなわち、ろ過器８００には、海水、塩化物イオンを含んだ溶液、及び排水が配管１０、１１を通って流入する。
【００１９】
電解槽５００は、酸素を含む気体を供給する酸素供給装置としてのバブリング用コンプレッサー５２０と、電解槽の電解溶液の水位を測定する電解槽水位測定装置５３０と、電解槽５００から排出された排水を電解溶液処理ポンプ５１０を用いて再び電解槽５００に戻すことができる循環路の配管１３とを備えている。この配管１３は、ろ過器８００から排水を取り入れるための配管１２、電解槽５００からの排水を残留塩素処理器７００に排出するための配管１４、に接続するとともに、電解溶液処理ポンプ５１０が設置されていて、残留塩素濃度測定装置６００とチューブ６０を介して接続している。電解槽排水バルブ７１０は、配管１４に設置されていて、電解槽５００からの電解溶液が残留塩素処理器７００への排出を制御する。残留塩素処理器７００は、電解槽５００からの電解溶液の残留塩素を除去し、処理排水として排出する。
【００２０】
＝＝＝電解制御装置操作パネル＝＝＝
図２は本発明の一実施例として説明する電解制御装置１００の操作パネルを示す。
【００２１】
図２に示すように、電解制御装置１００の操作パネルは、各装置の稼働状況を示す表示器等(操作パネル上部)と電解排水処理装置１０００の現在状況を表示する画面表示ディスプレイ(操作パネル下部)で構成されている。
【００２２】
操作パネル上部の長方形は、電解制御装置１００が制御している各装置の稼働状況を示す表示器等である。例えば、電解処理ポンプ５１０が稼働しているときは、電解処理ポンプ表示器が点灯する。この表示器が電解処理ポンプ５１０を手動で制御できるように、ボタン式(ボタンを押すことでＯＮ/ＯＦＦを制御する)にすることもできる。
【００２３】
また、操作パネル下部の画面表示ディスプレイ左側には、モニターされた電解排水処理装置１０００の現在状況が表示される。例えば、電流、電圧の欄には、それぞれ１Ａ、１Ｖのような現在の電気供給状況が表示される。
【００２４】
操作パネル下部の画面表示ディスプレイ右側には、電解制御装置１００において、排出量プログラム、終了処理プログラム、条件設定プログラムの設定を行う時に、各プログラムの設定内容が表示される。また、一旦設定したプログラムは、プログラム番号によって保存することができ、その番号で再び呼び出せるようにしてもよい。
【００２５】
＝＝＝各種条件設定＝＝＝
電解槽５００に排出する排水の塩化物濃度が３％以上になるように、排水貯槽４００、２０％塩化ナトリウム水溶液タンク３００、海水貯槽２００からの排出量を決定する。通常、排水貯槽４００の排水と２０％塩化ナトリウム水溶液タンク３００の溶液を混合して塩化物濃度が３％以上になればよい。排水中の塩化物濃度は、一般的には不明なので、２０％塩化ナトリウム水溶液を全体の溶液量の１５％添加するようにしておくとよい。
【００２６】
電解排水処理を繰り返す処理回数をプログラムする。処理回数は任意の数でよいが、この設定をブランクにしておくことで、排水貯槽４００の排水がなくなるまでという設定が行われる。電解処理の自動化の面からは、ブランクにしておくのが好ましい。
【００２７】
電気分解の条件は特に限定しないが、定電流で、電流密度１０〜１０００Ａ／ｄｍ２であることが好ましく、経済的観点からは、２０〜３００Ａ／ｄｍ２であることがさらに好ましい。その際、電圧は１Ｖ以上になるように制御するのが好ましい。
【００２８】
＝＝＝電解排水処理システムの処理手順＝＝＝
本発明の一実施例として説明する電解排水処理システム１０００の処理の手順を、図３のフローチャートを参考にしながら、詳細に述べる。
【００２９】
まず、電解排水処理システム１０００の電解制御装置１００の電源を入れる。
【００３０】
海水海水量注入ポンプ２１０、塩化ナトリウム水溶液注入ポンプ３１０、排水処理ポンプ４１０が、海水、２０％塩化ナトリウム水溶液、及び排水を、事前に設定された量だけ汲み上げ、配管１０、１１を通じて、ろ過器８００に注入する。これらの溶液に固形物(例えば、木片などの海のゴミ)が含まれていることがあるので、ろ過器８００にてその固形物を除去した後、配管１２、１３を通じて電解槽５００に注入する（Ｓ１０１）。
【００３１】
次に、電解制御装置１００は電解装置(例えば、電極)５４０による電気分解処理を制御する。具体的には、電解制御装置１００は、電線９を利用して電解槽５００に備えられた電解装置５４０に、電気分解するために設定された電流、電圧に従って電気を供給し、電気分解を始める（Ｓ１０２）。また、電解溶液処理ポンプ５１０を作動させることにより、電解槽５００から排出される電解液を配管１３を用いて循環させる（Ｓ１０２）。その上、バブリング用コンプレッサー５２０も作動させ、電解槽５００の酸素濃度を高めて電気分解を促進するために、酸素を含む気体を電解溶液に供給する。電解溶液処理ポンプ５１０によって配管１３内を循環している電解槽５００の電解溶液の残留塩素濃度を残留塩素測定装置６００を用いて測定する（Ｓ１０３）。こうして残留塩素濃度を測定し、測定した濃度が所定値以上かどうか判断する（Ｓ１０４）ことによって、実施例１〜４に記載されているように、電気分解の終了点を判断することができる。即ち、電解制御装置１００は、所定値未満の場合は、再度塩素濃度を測定し、所定値以上の場合は、電気分解と電解溶液処理ポンプ５１０を停止する（Ｓ１０５）。そして、電気分解された電解槽５００の溶液を残留塩素処理器７００に排出するため電解排水バルブ７１０を開栓する（Ｓ１０６）と、配管１３を循環していた電解液は、配管１４を通って残留塩素処理器７００に排出される。電解制御装置１００は、電解槽水位測定装置５３０によって検知される電解槽５００の水位が所定の水位(例えば、電解槽が空であることを示す０)に達したかどうか確認し（Ｓ１０７）、電解槽５００内の溶液が全て排出されたことを電解槽水位測定装置５３０によって確認したら、電解排水バルブ７１０を閉栓し（Ｓ１０８）、電解溶液の残留塩素処理器７００への排出は停止する。
【００３２】
残留塩素処理器７００では、排出された電解液中の残留塩素を、例えば、カーボンファイバー、ゼオライト、活性炭等を用いて除去する。これにより、塩素臭や配管などに用いられる金属の腐食の原因となる酸化力のある形の残留塩素、例えば、遊離残留塩素(次亜塩素酸や次亜塩素酸イオン)、結合残留塩素(アンモニアや有機性窒素化合物等と結合した塩素)を取り除くことができ、環境に対してより好ましい処理排水を排出することができる。
【００３３】
電解排水処理が完了すると、電解制御装置１００は、終了処理が処理回数で設定されているプログラムかどうか判断する（Ｓ１０９）。もし、処理回数で判断するプログラムであるならば、現在の処理回数が設定した回数に到達したかどうか判断し（Ｓ１１０）、設定した回数に到達していなければ、回数を１つ増加させ、再び上記電解排水処理を繰り返すために、排水貯槽４００に排水が存在するか判断する（Ｓ１１１）。これは、排水が存在していないのに、電解排水処理が実施されるのを防ぐためである。到達していた場合は、電解制御装置１００の電源を切り、電解排水処理を終了する。一方、処理回数で判断しないプログラムの場合は、排水貯槽４００の排水が無くなるまで電解排水処理を実施するので、排水貯槽４００に排水が存在するかどうか確認する（Ｓ１１１）。排水が存在するならば、再び上記電解排水処理を繰り返すために、Ｓ１０１に戻り、排水が存在しないならば、電解排水処理を終了し、電解制御装置１００の電源を切る。
【００３４】
＝＝＝電解排水処理システムの移動手段＝＝＝
電解排水処理システムを移動可能にするための手段として、電解排水処理システムを搭載することができ、原動機等の動力を用いて任意の目的地まで移動することが可能な乗り物又は運搬具であれば何でもよい。例えば、貨物運搬用の自動車、飛行機、船舶、などが挙げられるが、これらに限定されない。
【実施例１】
【００３５】
海水を含む排水（クラゲを溶解した溶液でCODを304mg/L含有する）４リットルに、Cannon電極（Φ３２×６００Ｌ）テスト機で電流を４８Ａ通電を行い経時的に水質測定と電解時間毎のCODを計測した。その結果を表１及び図４に示す。
【表１】
2005288358.tif 000003
【００３６】
表１及び図４に示すように、残留塩素が1,000（mg/L）以上になると、目標処理COD  50（mg/L）以下になることが確認できる。すなわち、残留塩素が1,000（mg/L）以上になった時に、電気分解を止めるように制御することができる。
【実施例２】
【００３７】
排水（煙道水洗水３．４リットルにNaCl２０％０．６リットルを含有する）４リットル（NaCl濃度３％）に、Cannon電極（Φ３２×６００Ｌ）テスト機で電流を４８Ａ通電を行い経時的に水質測定と電解時間毎のアンモニアを計測した。それらの結果を表２及び図５に示す。
【表２】
2005288358.tif 000004
【００３８】
表２及び図５に示すように、残留塩素が100（mg/L）以上になると，目標処理アンモニア  50（mg/L）以下にすることが確認できる。すなわち、残留塩素が100（mg/L）になった時に，電気分解を止めるように制御することができる。
【実施例３】
【００３９】
排水（煙道水洗水３．７リットルにNaCl２０％０．３リットルを含有する）４リットル（NaCl濃度１．５％）に、Cannon電極（Φ３２×６００Ｌ）テスト機で電流を４８Ａ通電を行い経時的に水質測定と電解時間毎のアンモニアを計測した。それらの結果を表３及び図６に示す。
【表３】
2005288358.tif 000005
【００４０】
表３及び図６に示すように、NaCl濃度1.5％の場合、3％に比べ処理時間がかかり、効率的にアンモニアの処理ができないことが確認できる。
【実施例４】
【００４１】
排水（煙道水洗水１．７リットルに、水１．７リットルとNaCl２０％０．６リットルを含有する）４リットル（NaCl濃度３％に調整した２倍希釈排水）に、Cannon電極（Φ３２×６００Ｌ）テスト機で電流を４８Ａ通電を行い経時的に水質測定と電解時間毎のアンモニアを計測した。それらの結果を表４及び図７に示す。
【表４】
2005288358.tif 000006
【００４２】
表４及び図７に示すように、2倍希釈しNaCl濃度3％の場合、残留塩素が100（mg/L）になるように電解を制御すれば、希釈しない場合より効率的なアンモニア処理を行うことが確認できる。
【００４３】
上記実施例１〜４により、電解槽５００に注入する溶液は、塩化物濃度が３％以上であることが望ましく、残留塩素濃度は、COD処理を目的とする場合は、１０００（ｍｇ/L）を所定の濃度とし、アンモニア処理を目的とする場合は、１００（ｍｇ/L）を所定の濃度とすることが好ましい。もし、COD処理とアンモニア処理の両方を目的とする場合は、１０００（ｍｇ/L）を所定の濃度とすることが好ましい。
【図面の簡単な説明】
【００４４】
【図１】本発明の一実施例として説明する電解排水処理システム１０００の構成を示す図である。
【図２】本発明の一実施例として説明する電解制御装置１００の操作パネルを示す図である。
【図３】本発明の一実施例として説明する電解排水処理システム１０００の処理手順を示すフローチャートである。
【図４】実施例１の、電解時間に対する残留塩素及びＣＯＤの計測結果を示す図である。
【図５】実施例２の、電解時間に対する残留塩素及びＣＯＤの計測結果を示す図である。
【図６】実施例３の、電解時間に対する残留塩素及びＣＯＤの計測結果を示す図である。
【図７】実施例４の、電解時間に対する残留塩素及びＣＯＤの計測結果を示す図である。
【符号の説明】
【００４５】
１〜９        電線
１０〜１４    配管
２０〜２１    配管
３０〜３１    配管
４０〜４１    配管
６０          チューブ
１００        電解制御装置
２００        海水貯槽
２１０        海水注入ポンプ
２２０        弁
３００        ２０％塩化ナトリウム水溶液タンク
３１０        塩化ナトリウム水溶液注入ポンプ
３２０        弁
４００        排水貯槽
４１０        排水処理ポンプ
４２０        弁
５００        電解槽
５１０        電解溶液処理ポンプ
５２０        バブリング用コンプレッサー
５３０        電解槽水位測定装置
５４０        電解装置
６００        残留塩素測定装置
７００        残留塩素処理器
７１０        電解排水バルブ
１０００      電解排水処理システム
【図１】
2005288358.tif 000007
【図２】
2005288358.tif 000008
【図３】
2005288358.tif 000009
【図４】
2005288358.tif 000010
【図５】
2005288358.tif 000011
【図６】
2005288358.tif 000012
【図７】
2005288358.tif 000013